(57)【要約】【課題】第１のコネクタ部品を嵌合方向に移動させることによって筐体に取付けることができ、取付が容易で、コストが低く、高い密封性を備え、異物の侵入を確実に防止することができるようにする。【解決手段】第１のコネクタ端子を導出する導出孔を側壁に備え、第１のコネクタ端子が導出孔から導出された状態で第１のコネクタ部品が取付けられる筐体と、導出孔から導出された第１のコネクタ端子に筐体の外方から接続される第２のコネクタ端子を備える第２のコネクタ部品とを有する電子接続箱ユニットであって、本体は導出孔から外方へ延出する筒状部を備え、第１のコネクタ端子が導出孔から筒状部内に導出され、第２のコネクタ部品が筐体の外方から筒状部に水密に嵌合することによって第２のコネクタ端子が第１のコネクタ端子に接続される。【選択図】図１
2007280795.tif 000002
【特許請求の範囲】
【請求項１】
（ａ）電子機器と、
（ｂ）該電子機器に接続された第１のコネクタ端子（４１）を備える第１のコネクタ部品（４０）と、
（ｃ）一方に開口部を備える有底凹状の本体（１２）と前記開口部を水密に封止する蓋体（２９）とから成り、前記電子機器及び第１のコネクタ部品（４０）を収納する筐体であって、前記第１のコネクタ端子（４１）を導出する導出孔（１７）を側壁（１４）に備え、前記第１のコネクタ端子（４１）が前記導出孔（１７）から導出された状態で前記第１のコネクタ部品（４０）が取付けられる筐体と、
（ｄ）前記導出孔（１７）から導出された第１のコネクタ端子（４１）に前記筐体の外方から接続される第２のコネクタ端子を備える第２のコネクタ部品（５０）とを有する電子接続箱ユニットであって、
（ｅ）前記本体（１２）は前記導出孔（１７）から外方へ延出する筒状部（１５）を備え、
（ｆ）前記第１のコネクタ端子（４１）が前記導出孔（１７）から前記筒状部（１５）内に導出され、
（ｇ）前記第２のコネクタ部品（５０）が前記筐体の外方から前記筒状部（１５）に水密に嵌合することによって前記第２のコネクタ端子が第１のコネクタ端子（４１）に接続されることを特徴とする電子接続箱ユニット。
【請求項２】
（ａ）前記第１のコネクタ部品（４０）は、前記筐体に収納された状態で、前記側壁（１４）本体の内面に沿って延在して該内面の前記導出孔（１７）周縁に当接するフランジ（４５）を備え、
（ｂ）該フランジ（４５）における前記側壁（１４）と反対側に当接し、前記側壁（１４）の内面と協働して前記フランジ（４５）を挟持して前記第１のコネクタ部品（４０）の前記第１のコネクタ端子（４１）の導出方向に関する位置決めを行う位置決め部材（２７）を有する請求項１に記載の電子接続箱ユニット。
【請求項３】
（ａ）前記本体（１２）は、前記導出孔（１７）周縁から前記筐体の内方へ突出する突状部（２１）であって、前記導出孔（１７）側に形成された前記位置決め部材（２７）が嵌合可能な突状部側溝部（２２）を備える突状部（２１）を備え、
（ｂ）前記位置決め部材（２７）は、前記突状部側溝部（２２）に嵌合された状態で、前記フランジ（４５）における前記側壁（１４）と反対側に当接する請求項２に記載の電子接続箱ユニット。
【請求項４】
（ａ）前記第１のコネクタ部品（４０）は、前記フランジ（４５）よりも前記筐体の内方に配設され、前記フランジ（４５）と平行に延在する第２のフランジ（４５ｂ）、及び、前記フランジ（４５）と第２のフランジ（４５ｂ）との間のフランジ側溝部（４５ｃ）を備え、
（ｂ）前記位置決め部材（２７）は、前記突状部側溝部（２２）及びフランジ側溝部（４５ｃ）に嵌合された状態で、前記フランジ（４５）における前記側壁（１４）と反対側に当接する請求項３に記載の電子接続箱ユニット。
【請求項５】
前記位置決め部材（２７）は、前記蓋体（２９）から前記筐体の内方へ突出する突状リブであり、前記蓋体（２９）が開口部を封止した状態で、前記フランジ（４５）における前記側壁（１４）と反対側に当接する請求項２に記載の電子接続箱ユニット。
【請求項６】
（ａ）前記第１のコネクタ部品（４０）は、前記筐体の内方から前記導出孔（１７）を通って前記筒状部（１５）内に挿入される第１挿入部（４２ｂ）であって、前記筒状部（１５）内面に対向する面に挿入方向に延在する第１溝部（４２ｃ）が形成された第１挿入部（４２ｂ）を備え、
（ｂ）前記第２のコネクタ部品（５０）は、前記筐体の外方から前記筒状部（１５）内に挿入される第２挿入部（５２）であって、前記筒状部（１５）内面に対向する面に挿入方向に延在する第２溝部（５２ａ）が形成された第２挿入部（５２）を備え、
（ｃ）前記筒状部（１５）は内面から内方に突出する内面リブ（１５ａ）を備え、
（ｄ）前記第１溝部（４２ｃ）及び第２溝部（５２ａ）は前記内面リブ（１５ａ）と嵌合する請求項１〜５のいずれか１項に記載の電子接続箱ユニット。
【請求項７】
（ａ）電子機器と、
（ｂ）該電子機器に接続された第１のコネクタ端子（４１）を備える第１のコネクタ部品（４０）と、
（ｃ）一方に開口部を備える有底凹状の本体（１２）と前記開口部を水密に封止する蓋体（２９）とから成り、前記電子機器及び第１のコネクタ部品（４０）を収納する筐体であって、前記第１のコネクタ端子（４１）を導出する導出孔（１７）を側壁（１４）に備え、前記第１のコネクタ端子（４１）が前記導出孔（１７）から導出された状態で前記第１のコネクタ部品（４０）が取付けられる筐体とを有する電子接続箱（１０）であって、
（ｄ）前記本体（１２）は前記導出孔（１７）から外方へ延出する筒状部（１５）を備え、
（ｅ）前記第１のコネクタ端子（４１）が前記導出孔（１７）から前記筒状部（１５）内に導出され、
（ｆ）前記第１のコネクタ端子（４１）に、第２のコネクタ部品（５０）の第２のコネクタ端子が前記筐体の外方から接続されることを特徴とする電子接続箱（１０）。
【請求項８】
（ａ）前記第１のコネクタ部品（４０）は、前記筐体に収納された状態で、前記側壁（１４）本体の内面に沿って延在して該内面の前記導出孔（１７）周縁に当接するフランジ（４５）を備え、
（ｂ）該フランジ（４５）における前記側壁（１４）と反対側に当接し、前記側壁（１４）の内面と協働して前記フランジ（４５）を挟持して前記第１のコネクタ部品（４０）の前記第１のコネクタ端子（４１）の導出方向に関する位置決めを行う位置決め部材（２７）を有する請求項７に記載の電子接続箱（１０）。
【請求項９】
（ａ）前記本体（１２）は、前記導出孔（１７）周縁から前記筐体の内方へ突出する突状部（２１）であって、前記導出孔（１７）側に形成された前記位置決め部材（２７）が嵌合可能な突状部側溝部（２２）を備える突状部（２１）を備え、
（ｂ）前記位置決め部材（２７）は、前記突状部側溝部（２２）に嵌合された状態で、前記フランジ（４５）における前記側壁（１４）と反対側に当接する請求項８に記載の電子接続箱（１０）。
【請求項１０】
（ａ）前記第１のコネクタ部品（４０）は、前記フランジ（４５）よりも前記筐体の内方に配設され、前記フランジ（４５）と平行に延在する第２のフランジ（４５ｂ）、及び、前記フランジ（４５）と第２のフランジ（４５ｂ）との間のフランジ側溝部（４５ｃ）を備え、
（ｂ）前記位置決め部材（２７）は、前記突状部側溝部（２２）及びフランジ側溝部（４５ｃ）に嵌合された状態で、前記フランジ（４５）における前記側壁（１４）と反対側に当接する請求項９に記載の電子接続箱（１０）。
【請求項１１】
前記位置決め部材（２７）は、前記蓋体（２９）から前記筐体の内方へ突出する突状リブであり、前記蓋体（２９）が開口部を封止した状態で、前記フランジ（４５）における前記側壁（１４）と反対側に当接する請求項８に記載の電子接続箱（１０）。
【請求項１２】
（ａ）前記第１のコネクタ部品（４０）は、前記筐体の内方から前記導出孔（１７）を通って前記筒状部（１５）内に挿入される第１挿入部（４２ｂ）であって、前記筒状部（１５）内面に対向する面に挿入方向に延在する第１溝部（４２ｃ）が形成された第１挿入部（４２ｂ）を備え、
（ｂ）前記筒状部（１５）は内面から内方に突出する内面リブ（１５ａ）を備え、
（ｃ）前記第１溝部（４２ｃ）は前記内面リブ（１５ａ）と嵌合する請求項７〜１１のいずれか１項に記載の電子接続箱（１０）。
【発明の詳細な説明】
【技術分野】
【０００１】
本発明は、電子接続箱ユニットに関するものである。
【背景技術】
【０００２】
従来、各種機器の制御装置等の電子機器を収納する筐（きょう）体の側壁にコネクタを取付ける場合、前記側壁にキー溝を形成して、前記コネクタに形成されたキーを前記キー溝に嵌（かん）合するようになっている（例えば、特許文献１参照。）。
【０００３】
図１５は従来の接続機器を筐体の側壁に取付ける構造を示す図である。
【０００４】
図において、３０１は、内部に図示されない電子機器を収納する筐体であり、３０２は該筐体３０１に取付けられるコネクタである。該コネクタ３０２は、合成樹脂等の絶縁性材料から成るハウジング３０３、及び、金属等の導電性材料から成り、前記ハウジング３０３に取付けられた複数の端子３０４を備える。
【０００５】
また、前記筐体３０１は、側壁３１０に形成された開口部３１１を備え、該開口部３１１を塞（ふさ）ぐように前記コネクタ３０２が取付けられる。この場合、前記開口部３１１の両側内壁には、上下方向に延在する第１リブ３１２及び第２リブ３１３が各々一体的に形成され、これにより、第１リブ３１２と第２リブ３１３との間に上下方向に延在する細長いキー溝３１５が形成される。
【０００６】
一方、前記コネクタ３０２のハウジング３０３の両側には上下方向に延在するキー部３０５が形成されており、前記コネクタ３０２を上方から移動させて開口部３１１に嵌（は）め込むと、前記キー部３０５がキー溝３１５に挿入されて係合する。これにより、前記コネクタ３０２が筐体３０１の側壁３１０に確実に取付けられ、かつ、開口部３１１がコネクタ３０２によって塞がれて封止される。
【特許文献１】特開２００４−３６２７７９号公報
【発明の開示】
【発明が解決しようとする課題】
【０００７】
しかしながら、前記従来の技術においては、コネクタ３０２を上方から移動させて筐体３０１の開口部３１１に嵌め込むようになっているので、該開口部３１１は上端が開いた形状となっている。そのため、コネクタ３０２を取付けた後に、筐体３０１の上側を蓋（ふた）体で封止しても、開口部３１１は上端と蓋体との間に間隙（げき）が発生し、水、塵埃（じんあい）等の異物が筐体３０１内に侵入して電子機器に悪影響を及ぼす恐れがある。
【０００８】
本発明は、前記従来の問題点を解決して、電子機器及び該電子機器に接続された第１のコネクタ部品を収納する筐体の側壁に導出孔（こう）及び該導出孔から外方へ延出する筒状部を形成し、前記第１のコネクタ部品の第１のコネクタ端子を前記導出孔から筒状部内に導出させ、第２のコネクタ部品が前記筐体の外方から前記筒状部に嵌合することによって第２のコネクタ部品の第２のコネクタ端子が前記第１のコネクタ端子に接続されるようにして、第１のコネクタ部品を嵌合方向に移動させることによって筐体に取付けることができ、取付が容易で、コストが低く、高い密封性を備え、異物の侵入を確実に防止することができる電子接続箱ユニット及び電子接続箱を提供することを目的とする。
【課題を解決するための手段】
【０００９】
そのために、本発明の電子接続箱ユニットにおいては、電子機器と、該電子機器に接続された第１のコネクタ端子を備える第１のコネクタ部品と、一方に開口部を備える有底凹状の本体と前記開口部を水密に封止する蓋体とから成り、前記電子機器及び第１のコネクタ部品を収納する筐体であって、前記第１のコネクタ端子を導出する導出孔を側壁に備え、前記第１のコネクタ端子が前記導出孔から導出された状態で前記第１のコネクタ部品が取付けられる筐体と、前記導出孔から導出された第１のコネクタ端子に前記筐体の外方から接続される第２のコネクタ端子を備える第２のコネクタ部品とを有する電子接続箱ユニットであって、前記本体は前記導出孔から外方へ延出する筒状部を備え、前記第１のコネクタ端子が前記導出孔から前記筒状部内に導出され、前記第２のコネクタ部品が前記筐体の外方から前記筒状部に水密に嵌合することによって前記第２のコネクタ端子が第１のコネクタ端子に接続される。
【００１０】
本発明の他の電子接続箱ユニットにおいては、さらに、前記第１のコネクタ部品は、前記筐体に収納された状態で、前記側壁本体の内面に沿って延在して該内面の前記導出孔周縁に当接するフランジを備え、該フランジにおける前記側壁と反対側に当接し、前記側壁の内面と協働して前記フランジを挟持して前記第１のコネクタ部品の前記第１のコネクタ端子の導出方向に関する位置決めを行う位置決め部材を有する。
【００１１】
本発明の更に他の電子接続箱ユニットにおいては、さらに、前記本体は、前記導出孔周縁から前記筐体の内方へ突出する突状部であって、前記導出孔側に形成された前記位置決め部材が嵌合可能な突状部側溝部を備える突状部を備え、前記位置決め部材は、前記突状部側溝部に嵌合された状態で、前記フランジにおける前記側壁と反対側に当接する。
【００１２】
本発明の更に他の電子接続箱ユニットにおいては、さらに、前記第１のコネクタ部品は、前記フランジよりも前記筐体の内方に配設され、前記フランジと平行に延在する第２のフランジ、及び、前記フランジと第２のフランジとの間のフランジ側溝部を備え、前記位置決め部材は、前記突状部側溝部及びフランジ側溝部に嵌合された状態で、前記フランジにおける前記側壁と反対側に当接する。
【００１３】
本発明の更に他の電子接続箱ユニットにおいては、さらに、前記位置決め部材は、前記蓋体から前記筐体の内方へ突出する突状リブであり、前記蓋体が開口部を封止した状態で、前記フランジにおける前記側壁と反対側に当接する。
【００１４】
本発明の更に他の電子接続箱ユニットにおいては、さらに、前記第１のコネクタ部品は、前記筐体の内方から前記導出孔を通って前記筒状部内に挿入される第１挿入部であって、前記筒状部内面に対向する面に挿入方向に延在する第１溝部が形成された第１挿入部を備え、前記第２のコネクタ部品は、前記筐体の外方から前記筒状部内に挿入される第２挿入部であって、前記筒状部内面に対向する面に挿入方向に延在する第２溝部が形成された第２挿入部を備え、前記筒状部は内面から内方に突出する内面リブを備え、前記第１溝部及び第２溝部は前記内面リブと嵌合する。
【００１５】
本発明の電子接続箱においては、電子機器と、該電子機器に接続された第１のコネクタ端子を備える第１のコネクタ部品と、一方に開口部を備える有底凹状の本体と前記開口部を水密に封止する蓋体とから成り、前記電子機器及び第１のコネクタ部品を収納する筐体であって、前記第１のコネクタ端子を導出する導出孔を側壁に備え、前記第１のコネクタ端子が前記導出孔から導出された状態で前記第１のコネクタ部品が取付けられる筐体とを有する電子接続箱であって、前記本体は前記導出孔から外方へ延出する筒状部を備え、前記第１のコネクタ端子が前記導出孔から前記筒状部内に導出され、前記第１のコネクタ端子に、第２のコネクタ部品の第２のコネクタ端子が前記筐体の外方から接続される。
【００１６】
本発明の他の電子接続箱においては、さらに、前記第１のコネクタ部品は、前記筐体に収納された状態で、前記側壁本体の内面に沿って延在して該内面の前記導出孔周縁に当接するフランジを備え、該フランジにおける前記側壁と反対側に当接し、前記側壁の内面と協働して前記フランジを挟持して前記第１のコネクタ部品の前記第１のコネクタ端子の導出方向に関する位置決めを行う位置決め部材を有する。
【００１７】
本発明の更に他の電子接続箱においては、さらに、前記本体は、前記導出孔周縁から前記筐体の内方へ突出する突状部であって、前記導出孔側に形成された前記位置決め部材が嵌合可能な突状部側溝部を備える突状部を備え、前記位置決め部材は、前記突状部側溝部に嵌合された状態で、前記フランジにおける前記側壁と反対側に当接する。
【００１８】
本発明の更に他の電子接続箱においては、さらに、前記第１のコネクタ部品は、前記フランジよりも前記筐体の内方に配設され、前記フランジと平行に延在する第２のフランジ、及び、前記フランジと第２のフランジとの間のフランジ側溝部を備え、前記位置決め部材は、前記突状部側溝部及びフランジ側溝部に嵌合された状態で、前記フランジにおける前記側壁と反対側に当接する。
【００１９】
本発明の更に他の電子接続箱においては、さらに、前記位置決め部材は、前記蓋体から前記筐体の内方へ突出する突状リブであり、前記蓋体が開口部を封止した状態で、前記フランジにおける前記側壁と反対側に当接する。
【００２０】
本発明の更に他の電子接続箱においては、さらに、前記第１のコネクタ部品は、前記筐体の内方から前記導出孔を通って前記筒状部内に挿入される第１挿入部であって、前記筒状部内面に対向する面に挿入方向に延在する第１溝部が形成された第１挿入部を備え、前記筒状部は内面から内方に突出する内面リブを備え、前記第１溝部は前記内面リブと嵌合する。
【発明の効果】
【００２１】
本発明によれば、電子接続箱ユニットは、電子機器及び該電子機器に接続された第１のコネクタ部品を収納する筐体の側壁に導出孔及び該導出孔から外方へ延出する筒状部を形成し、前記第１のコネクタ部品の第１のコネクタ端子を前記導出孔から筒状部内に導出させ、第２のコネクタ部品が前記筐体の外方から前記筒状部に嵌合することによって第２のコネクタ部品の第２のコネクタ端子が前記第１のコネクタ端子に接続されるようになっている。そのため、第１のコネクタ部品を嵌合方向に移動させることによって筐体に取付けることができ、取付が容易で、コストが低く、高い密封性を備え、異物の侵入を確実に防止することができる。
【発明を実施するための最良の形態】
【００２２】
以下、本発明の実施の形態について図面を参照しながら詳細に説明する。
【００２３】
図１は本発明の第１の実施の形態における電子接続箱ユニットの斜視図、図２は本発明の第１の実施の形態における電子接続箱ユニットの要部断面図であり図１のＡ−Ａ矢視断面図、図３は本発明の第１の実施の形態における第１のコネクタ部品の斜視図、図４は本発明の第１の実施の形態における第１のコネクタ部品を取付ける前の筒状部を示す要部拡大斜視図、図５は本発明の第１の実施の形態における位置決め部材を取付ける前の状態を示す要部拡大斜視図、図６は本発明の第１の実施の形態における電子接続箱ユニット及び第２のコネクタ部品の嵌合前の状態を示す斜視図である。
【００２４】
図において、１０は本実施の形態における電子接続箱であり、電子機器と、該電子機器を収納する筐体とを有する。ここで、前記電子機器は、ＣＰＵ、ＭＰＵ等の制御素子やメモリ等の記憶素子が実装された基板１１を備え、例えば、自動車のエンジン、ＡＴ（オートマチックトランスミッション）、ＡＢＳ（アンチロックブレーキシステム）等を制御するためのＥＣＵ（Ｅｌｅｃｔｒｏｎｉｃ  Ｃｏｎｔｒｏｌ  Ｕｎｉｔ）であるが、いかなる用途に使用されるものであってもよいし、いかなる種類のものであってもよい。なお、図においては、前記基板１１の一部のみが示されている。
【００２５】
そして、前記筐体は、一方（図１及び２における上方）に開口部を備える有底凹状の本体１２と、前記開口部を水密に封止する蓋体２９とから成る。図１に示される例において、前記本体１２は、合成樹脂等の絶縁性材料又は金属材料によって一体的に形成された方形の箱体状であり、方形の底板１３及び該底板１３の各辺から上方に延出する平板状の４つの側壁１４を備えているが、有底凹状であれば、いかなる形状のものであってもよい。また、前記蓋体２９は、前記本体１２と同様の材料によって一体的に形成され、かつ、前記底板１３とほぼ同様の形状を備える板部材であって、図２に示されるように、前記筐体の上端に、開口部を塞いで水密に封止するように取付けられる。なお、図１においては、筐体の内部を説明する都合上、前記蓋体２９の図示が省略されている。また、本実施の形態においては、本体１２と蓋体２９とを同一の材料で形成しているが、内部の電子機器が発生する電磁ノイズのシールド性能、熱伝導率、剛性等の要求される性能が満足できれば、この限りではない。
【００２６】
また、本実施の形態において、電子接続箱１０の各部の構成及び動作を説明するために使用される上、下、左、右、前、後等の方向を示す表現は、絶対的なものでなく相対的なものであり、前記電子接続箱１０の各部が図に示される姿勢である場合に適切であるが、その姿勢が変化した場合には姿勢の変化に応じて変更して解釈されるべきものである。
【００２７】
そして、前記基板１１の一端には第１のコネクタ部品４０が接続されている。該第１のコネクタ部品４０は、図３に詳細に示されるように、合成樹脂等の絶縁性材料によって一体的に形成され、複数の第１のコネクタ端子４１を支持する端子支持部材４２を備える。該端子支持部材４２は、概略矩（く）形の厚板状の部材であり、その厚さ方向に貫通するように複数の端子支持孔（あな）が形成され、各端子支持孔に金属等の導電性材料から成る第１のコネクタ端子４１の各々が挿入されて支持されている。
【００２８】
ここで、該第１のコネクタ端子４１は、一部が前記端子支持部材４２に挿入されて取付けられる本体部、及び、該本体部に対して所定角度で延在する脚部を有する。なお、本実施の形態において、前記第１のコネクタ端子４１は、図２及び３に示されるように、略Ｌ字状の形状を備え、本体部は水平方向に延在し、脚部は本体部の後端（図２及び３における右端）において直角に屈曲されて鉛直方向に延在する。そして、前記第１のコネクタ端子４１の本体部は、その先端（脚部と反対側の端部）が端子支持部材４２から突出し、相手方コネクタとしての第２のコネクタ部品５０が備える第２のコネクタ端子と電気的に接続するコネクタ接続部として機能する。また、前記第１のコネクタ端子４１の脚部は下向きに突出し、その下端部は、基板１１の接続孔としてのスルーホールに挿入されてはんだ付けされ、基板１１に形成された図示されない導電トレースと電気的に接続する基板接続部として機能する。前記第２のコネクタ部品及び電子接続箱１０は、電子接続箱ユニットを構成する。
【００２９】
なお、図６に示される例において、第２のコネクタ部品５０は、複数本の導電線から成る導電ケーブル５６の終端に接続されたケーブルコネクタであるが、前記第１のコネクタ端子４１に接続される第２のコネクタ端子を備え、筒状部１５に水密に嵌合するものであれば、回路基板等の基板に接続された基板コネクタであってもよく、いかなる種類のコネクタであってもよい。ここでは、第２のコネクタ部品５０が筐体の外方から前記筒状部１５内に挿入される第２挿入部５２を備えるものであり、該第２挿入部５２の前記筒状部１５の内面に対向する面には挿入方向に延在する第２溝部５２ａが形成されているものとして説明する。
【００３０】
この場合、第２のコネクタ部品５０は、合成樹脂等の絶縁性材料によって一体的に形成されたハウジング５１を備え、該ハウジング５１の嵌合端側が第２挿入部５２となっている。そして、該第２挿入部５２の嵌合端面には、第１のコネクタ端子４１の先端が挿入される挿入口５３が複数形成され、該挿入口５３内に第１のコネクタ端子４１と接続する第２のコネクタ端子が配設されている。また、ハウジング５１の側面には、係合突起１６と係合する係合孔５４ａを備える係合レバー５４が回転可能に取付けられている。
【００３１】
本実施の形態において、第１のコネクタ端子４１の数は、例えば、４８本であるが、必要に応じて、適宜変更することができる。また、前記第１のコネクタ端子４１は、幅方向（図２における図面に垂直な方向）に、例えば、１２列を形成するように並べられているが、前記列の数は、必要に応じて、適宜変更することができる。さらに、第１のコネクタ端子４１は、長さによって複数種類に分れ、例えば、４種類の第１のコネクタ端子４１から成るが、該第１のコネクタ端子４１の種類は何種類であってもよい。そして、図に示される例においては、４種類の第１のコネクタ端子４１から成る列が１２列存在する。なお、同一の列内では、各種類の第１のコネクタ端子４１が、前後及び上下方向（図２における左右及び上下方向）に延在する同一平面を構成するように配置される。
【００３２】
図２に示されるように、最も長い第１のコネクタ端子４１は、その本体部が最も高く位置し、脚部が最も後方に位置するように取付けられ、２番目に長いものは、本体部が最も長いものより低く位置し、脚部が最も長いものより前方に位置するように取付けられ、３番目に長いものは、本体部が２番目に長いものより低く位置し、脚部が２番目に長いものより前方に位置するように取付けられ、最も短いものは、本体部が最も低く位置し、脚部が最も前方に位置するように取付けられる。
【００３３】
そして、前記端子支持部材４２は、後面から後方に向けて突出するように一体的に形成された整列板支持部４２ａを備え、該整列板支持部４２ａには、第１のコネクタ端子４１の脚部を整列させた状態で保持する整列板４３が取付けられている。該整列板４３は、水平方向に延在する矩形状の板部材であり、第１のコネクタ端子４１の脚部をガイドする複数のガイド孔を備える。該ガイド孔は、前記基板１１のスルーホールと同様の配列となるように形成されている。そして、前記ガイド孔は、整列板４３を貫通するように形成され、第１のコネクタ端子４１の脚部が挿入される。
【００３４】
また、前記端子支持部材４２は、図３に示されるように、その周囲を取囲むように一体的に形成された側方に突出する鍔（つば）状のフランジ４５を備える。そして、該フランジ４５の前面（図２における左側面）は、図１及び５に示されるように、第１のコネクタ端子４１が導出孔１７から導出された状態となるように、第１のコネクタ部品４０が筐体に取付けられると、側壁１４の内面に沿って延在し、該内面に当接する。なお、前記フランジ４５の前面が当接する側壁１４の内面は、図１及び４に示されるように、厚肉部１４ａが形成された側壁１４において、該厚肉部１４ａを貫通するように形成された第１のコネクタ端子４１を導出する導出孔１７の周縁である。また、該フランジ４５の後面（図２における右側面）には、図３及び５に示されるように、圧入部としての膨出部４５ａが複数形成されている。
【００３５】
ここで、前記厚肉部１４ａが形成された側壁１４には、図４に示されるように、導出孔１７から外方へ延出する筒状部１５が一体的に形成されている。前記導出孔１７が概略矩形の開口部であるため、前記筒状部１５は概略角筒状の形状を備える。なお、前記筒状部１５の外面には、第２のコネクタ部品５０が備える係合レバー５４の係合孔５４ａと係合する係合突起１６が外方に突出するように形成されている。また、前記筒状部１５の内面には、第１のコネクタ端子４１の導出する方向に延在する内面リブ１５ａが内方に突出するように複数形成されている。なお、図に示される例において、前記内面リブ１５ａは、筒状部１５の上下の側壁の内面に３本ずつ形成されているが、前記内面リブ１５ａの数及び位置は、適宜設定することができる。
【００３６】
そして、前記端子支持部材４２におけるフランジ４５よりも前方の部分は、導出孔１７を通って筒状部１５内に挿入される第１挿入部４２ｂとして機能する。該第１挿入部４２ｂは、前記筒状部１５の内面と同様の大きさ及び形状の外面を備え、筐体の内方から導出孔１７を通って筒状部１５内に挿入される。また、第１挿入部４２ｂの外面、すなわち、前記筒状部１５の内面に対向する面には、図３に示されるように、第１挿入部４２ｂの挿入方向に延在する第１溝部４２ｃが形成されている。該第１溝部４２ｃは、各内面リブ１５ａに対応する位置に各々形成され、第１挿入部４２ｂが筒状部１５内に挿入されると、内面リブ１５ａと嵌合する。これにより、前記筐体の側壁１４に対する第１のコネクタ部品４０の横方向（上下又は左右方向、すなわち、コネクタの嵌合方向に対して直交する方向）に関する位置決めが行われる。
【００３７】
なお、前記筒状部１５内には、第２のコネクタ部品５０の第２挿入部５２が筐体の外方から挿入される。そして、前記第２挿入部５２の外面、すなわち、前記筒状部１５の内面に対向する面に形成された第２溝部５２ａが内面リブ１５ａと嵌合する。これにより、前記筐体に対する第２のコネクタ部品５０の横方向に関する位置決めが行われる。さらに、係合レバー５４の係合孔５４ａが係合突起１６と係合させられると、前記筐体に対する第２のコネクタ部品５０の挿入方向に関する位置決めが行われる。これにより、第２のコネクタ部品５０のシール部材５７が筒状部１５と当接して、第２のコネクタ部品５０は筒状部１５に水密に嵌合され、第２のコネクタ端子が第１のコネクタ端子４１と接続される。
【００３８】
また、前記厚肉部１４ａが形成された側壁１４には、導出孔１７の周縁から筐体の内方へ突出する突状部２１が一体的に形成されている。この場合、該突状部２１は、前記厚肉部１４ａの両端からそれぞれ突出するように形成されている。また、図５に示されるように、左右の突状部２１の対向する面、すなわち、導出孔１７側には、上下方向に延在する突状部側溝部２２が各々形成されている。
【００３９】
そして、該突状部側溝部２２には、第１のコネクタ部品４０の第１のコネクタ端子４１の導出方向に関する位置決めを行う位置決め部材２７が嵌合される。該位置決め部材２７は、概略コ字状の形状を備え、横方向に延在する横桟部２７ｂ、該横桟部２７ｂの両端から下方に向けて延出する嵌合部２７ａ、及び、前記横桟部２７ｂの上端から後方へ突出する庇（ひさし）部２７ｃを備える。そして、図５に示されるように、第１のコネクタ部品４０が筐体に取付けられると、すなわち、第１のコネクタ端子４１が導出孔１７から導出された状態であって、かつ、フランジ４５が側壁１４の内面の導出孔１７周縁に当接した状態となると、上方から位置決め部材２７が移動させられ、突状部側溝部２２に嵌合する。この場合、両側の嵌合部２７ａは、外側端近傍部分が突状部側溝部２２内に位置し、内側端近傍部分における側壁１４側がフランジ４５における側壁１４と反対側に当接する。そのため、フランジ４５は、側壁１４の内面の導出孔１７周縁と位置決め部材２７の嵌合部２７ａの内側端近傍部分の前面とによって挟込まれた状態となり、第１のコネクタ端子４１の導出方向に移動不能となる。すなわち、位置決め部材２７が側壁１４の内面と協働してフランジ４５を挟持することによって、前記第１のコネクタ部品４０のコネクタの嵌合方向に関する位置決めが行われる。なお、フランジ４５における側壁１４と反対側、すなわち、後面には膨出部４５ａが形成されているので、該膨出部４５ａによって嵌合部２７ａが後方に押圧される。これにより、位置決め部材２７が側壁１４の内面と協働してフランジ４５を挟持する力が強くなるので、第１のコネクタ部品４０のコネクタの嵌合方向に関する位置決めがより確実なものとなる。
【００４０】
次に、第１のコネクタ部品４０を筐体に取付けて、電子接続箱１０を組立てる方法について説明する。
【００４１】
図７は本発明の第１の実施の形態における第１のコネクタ部品を筐体に取付ける工程を示す第１の図、図８は本発明の第１の実施の形態における第１のコネクタ部品を筐体に取付ける工程を示す第２の図、図９は本発明の第１の実施の形態における第１のコネクタ部品を筐体に取付ける工程を示す第３の図、図１０は本発明の第１の実施の形態における第１のコネクタ部品を筐体に取付ける工程を示す第４の図、図１１は本発明の第１の実施の形態における第１のコネクタ部品を筐体に取付ける工程を示す第５の図である。
【００４２】
この場合、第１のコネクタ部品４０が備える第１のコネクタ端子４１は、あらかじめ電子機器に接続されている、すなわち、前記第１のコネクタ端子４１の脚部の下端部は、あらかじめ電子機器の基板１１のスルーホールに挿入されてはんだ付けされているものとする。これにより、第１のコネクタ部品４０と電子機器とを一体的に移動させて筐体に取付けることができる。
【００４３】
まず、図７に示されるように、上方から第１のコネクタ部品４０と電子機器とを下降させて筐体の本体１２に対して接近させ、蓋体２９が取外されている本体１２の開口部から本体１２内に進入させる。この場合、第１のコネクタ部品４０を導出孔１７が形成された側壁１４に対面させるようにして、前記第１のコネクタ部品４０と電子機器とを本体１２内に進入させる。
【００４４】
そして、図８に示されるように、端子支持部材４２が導出孔１７に対向する位置にまで下降したら、第１のコネクタ部品４０と電子機器とを停止させる。続いて、図９に示されるように、第１のコネクタ部品４０と電子機器とを前進させ、端子支持部材４２から前方に突出している第１のコネクタ端子４１の本体部及び端子支持部材４２の第１挿入部４２ｂを導出孔１７を通して筒状部１５内に挿入する。なお、図１０は、端子支持部材４２と導出孔１７の周縁との位置関係を示す平断面図である。このとき、第１挿入部４２ｂの外面に形成された第１溝部４２ｃと筒状部１５の内面に形成された内面リブ１５ａとを嵌合させる。
【００４５】
これにより、前記筐体の側壁１４に対する第１のコネクタ部品４０の横方向に関する位置決めが行われる。なお、導出孔１７の周縁から筐体の内方へ突出するように形成された左右の突状部２１間の距離は、第１のコネクタ部品４０のフランジ４５の幅よりも広くなるように設定されている。そのため、フランジ４５が突状部２１と干渉することなく、第１のコネクタ端子４１及び第１挿入部４２ｂを筒状部１５内に移動させることができる。
【００４６】
続いて、図１１に示されるように、フランジ４５が側壁１４の内面の導出孔１７周縁に当接した状態となるまで前進すると、第１のコネクタ部品４０と電子機器とを停止させる。そして、上方から位置決め部材２７を下降させ、嵌合部２７ａを突状部側溝部２２に嵌合させる。これにより、図１に示されるように、第１のコネクタ部品４０が筐体に取付けられる。この場合、位置決め部材２７が側壁１４の内面と協働してフランジ４５を挟持しているので、第１のコネクタ部品４０はコネクタの嵌合方向に関して位置決めされている。また、第１挿入部４２ｂの外面に形成された第１溝部４２ｃと筒状部１５の内面に形成された内面リブ１５ａとを嵌合しているので、第１のコネクタ部品４０は横方向に関して位置決めされている。なお、必要に応じて、電子機器を本体１２にビス、ボルト等の固着手段によって固着することもできる。
【００４７】
続いて、図２に示されるように、蓋体２９を筐体の上端に、開口部を塞いで水密に封止するように取付ける。これにより、電子接続箱１０の組立てが完了する。
【００４８】
そして、該電子接続箱１０には、電子接続箱１０とともに電子接続箱ユニットを構成する前記第２のコネクタ部品５０を接続させることができる。この場合、第２のコネクタ部品５０の第２挿入部５２を筐体の外方から筒状部１５内に挿入する。このとき、第２挿入部５２の外面に形成された第２溝部５２ａと筒状部１５の内面に形成された内面リブ１５ａとを嵌合させる。これにより、前記筐体に対する第２のコネクタ部品５０の横方向に関する位置決めが行われる。
【００４９】
続いて、第２のコネクタ部品５０の係合レバー５４を回転させて係合孔５４ａを係合突起１６と係合させると、前記筐体に対する第２のコネクタ部品５０の挿入方向に関する位置決めが行われる。そして、第２のコネクタ部品５０のシール部材５７が筒状部１５の先端に当接して、第２のコネクタ部品５０は筒状部１５に水密に嵌合され、第２のコネクタ端子が第１のコネクタ端子４１と接続される。これにより、電子接続箱１０への第２のコネクタ部品５０の接続が完了する。
【００５０】
このように、本実施の形態において、電子接続箱１０は、電子機器と、該電子機器に接続された第１のコネクタ端子４１を備える第１のコネクタ部品４０と、一方に開口部を備える有底凹状の本体１２と前記開口部を水密に封止する蓋体２９とから成り、前記第１のコネクタ端子４１を導出する導出孔１７を側壁１４に備え、前記第１のコネクタ端子４１が前記導出孔１７から導出された状態で前記第１のコネクタ部品４０が取付けられる筐体とを有するものである。そして、前記電子機器及び第１のコネクタ部品４０は前記筐体に収納される。また、前記本体１２は前記導出孔１７から外方へ延出する筒状部１５を備え、前記第１のコネクタ端子４１が前記導出孔１７から前記筒状部１５内に導出され、前記第１のコネクタ端子４１に、第２のコネクタ部品５０の第２のコネクタ端子が前記筐体の外方から接続される。
【００５１】
したがって、第１のコネクタ部品４０を嵌合方向、すなわち、第１のコネクタ端子４１を導出方向に移動させることによって筐体に容易に取付けることができる。そのため、製造コストを低くすることができる。また、第１のコネクタ部品４０及び第２のコネクタ部品５０と筐体の本体１２との間に隙（すき）間が生じることがなく、密封性を高くすることができ、水、塵埃等の異物の侵入を確実に防止することができる。
【００５２】
また、第１のコネクタ部品４０は、筐体に収納された状態で、側壁１４本体の内面に沿って延在して該内面の導出孔１７周縁に当接するフランジ４５を備え、位置決め部材２７が、フランジ４５における側壁１４と反対側に当接し、前記側壁１４の内面と協働してフランジ４５を挟持して第１のコネクタ部品４０の第１のコネクタ端子４１の導出方向に関する位置決めを行うようになっている。そのため、第２のコネクタ部品を嵌合する際にも、第１のコネクタ部品４０が嵌合方向、すなわち、第１のコネクタ端子４１の導出方向に移動してしまうことがない。また、第１のコネクタ部品４０の第１のコネクタ端子４１の導出方向に関する位置決めを確実かつ容易に行うことができる。
【００５３】
さらに、本体１２は、導出孔１７周縁から前記筐体の内方へ突出し、前記導出孔１７側に形成された前記位置決め部材２７が嵌合可能な突状部側溝部２２を備える突状部２１を備え、位置決め部材２７は、突状部側溝部２２に嵌合された状態で、フランジ４５における側壁１４と反対側に当接する。
【００５４】
そのため、フランジ４５が導出孔１７周縁に押付けられるので、フランジ４５のがたつきがなく、第１のコネクタ部品４０の第１のコネクタ端子４１の導出方向に関する位置決めの精度が向上する。
【００５５】
さらに、第１のコネクタ部品４０は、筐体の内方から導出孔１７を通って筒状部１５内に挿入され、該筒状部１５内面に対向する面に挿入方向に延在する第１溝部４２ｃが形成された第１挿入部４２ｂを備えている。また、第２のコネクタ部品５０は、筐体の外方から筒状部１５内に挿入されるとともに、該筒状部１５内面に対向する面に挿入方向に延在する第２溝部５２ａが形成された第２挿入部５２を備えている。さらに、前記筒状部１５は内面から内方に突出する内面リブ１５ａを備えており、前記第１溝部４２ｃ及び第２溝部５２ａは内面リブ１５ａと嵌合するようになっている。
【００５６】
そのため、筐体に対する第１のコネクタ部品４０及び第２のコネクタ部品５０の横方向に関する位置決めの精度が向上する。
【００５７】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５８】
図１２は本発明の第２の実施の形態における電子接続箱ユニットの分解組立て図、図１３は本発明の第２の実施の形態における第１のコネクタ部品を筐体に取付ける工程を示す図である。
【００５９】
本実施の形態においては、図１２に示されるように、第１のコネクタ部品４０は、前記フランジ４５よりも筐体の内方に配設され、前記フランジ４５と平行に延在する第２のフランジ４５ｂ、及び、前記フランジ４５と第２のフランジ４５ｂとの間に形成された上下方向に延在するフランジ側溝部４５ｃを備える。なお、位置決め部材２７は、庇部２７ｃを備えていない。
【００６０】
そして、図１３に示されるように、第１のコネクタ部品４０が筐体に取付けられると、すなわち、第１のコネクタ端子４１が導出孔１７から導出された状態であって、かつ、フランジ４５が側壁１４の内面の導出孔１７周縁に当接した状態となると、上方から位置決め部材２７が移動させられ、突状部側溝部２２及びフランジ側溝部４５ｃに嵌合する。この場合、両側の嵌合部２７ａは、外側端近傍部分が突状部側溝部２２内に位置し、内側端近傍部分がフランジ側溝部４５ｃ内に位置してフランジ４５における側壁１４と反対側に当接する。そのため、フランジ４５が、側壁１４の内面の導出孔１７周縁と位置決め部材２７の嵌合部２７ａの内側端近傍部分の前面とによって挟込まれた状態となるとともに、フランジ側溝部４５ｃが嵌合部２７ａの内側端近傍部分と嵌合した常置となるので、第１のコネクタ部品４０は第１のコネクタ端子４１の導出方向に移動不能となる。すなわち、位置決め部材２７が側壁１４の内面と協働してフランジ４５を挟持するとともに、前記位置決め部材２７が突状部側溝部２２及びフランジ側溝部４５ｃに嵌合することによって、前記第１のコネクタ部品４０の第１のコネクタ端子４１の導出方向に関する位置決めが行われる。
【００６１】
なお、その他の点の構成及び動作については、前記第１の実施の形態と同様であるので、説明を省略する。
【００６２】
このように、本実施の形態において、第１のコネクタ部品４０は、フランジ４５よりも筐体の内方に配設され、前記フランジ４５と平行に延在する第２のフランジ４５ｂ、及び、前記フランジ４５と第２のフランジ４５ｂとの間のフランジ側溝部４５ｃを備え、位置決め部材２７は、突状部側溝部２２及びフランジ側溝部４５ｃに嵌合された状態で、前記フランジ４５における側壁１４と反対側に当接するようになっている。
【００６３】
そのため、フランジ４５のがたつきがなく、第１のコネクタ部品４０のコネクタの嵌合方向に関する位置決めの精度が向上する。
【００６４】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００６５】
図１４は本発明の第３の実施の形態における電子接続箱ユニットの要部断面図である。
【００６６】
本実施の形態においては、図に示されるように、位置決め部材２７が蓋体２９から筐体の内方へ突出する突状リブである。すなわち、前記位置決め部材２７は、前記第１及び第２の実施の形態と同様に、概略コ字状の形状を備え、嵌合部２７ａ及び横桟部２７ｂを備えるものであるが、蓋体２９と一体的に形成され、嵌合部２７ａ及び横桟部２７ｂが蓋体２９の下面から下方に延出するようになっている。なお、その他の点の構成及び動作については、前記第１及び第２の実施の形態と同様であるので、説明を省略する。
【００６７】
そのため、本実施の形態においては、位置決め部材２７及び蓋体２９の取付を同時に行うことができるので、電子接続箱１０を容易に組立てることができる。
【００６８】
なお、本発明は前記実施の形態に限定されるものではなく、本発明の趣旨に基づいて種々変形させることが可能であり、それらを本発明の範囲から排除するものではない。
【図面の簡単な説明】
【００６９】
【図１】本発明の第１の実施の形態における電子接続箱ユニットの斜視図である。
【図２】本発明の第１の実施の形態における電子接続箱ユニットの要部断面図であり図１のＡ−Ａ矢視断面図である。
【図３】本発明の第１の実施の形態における第１のコネクタ部品の斜視図である。
【図４】本発明の第１の実施の形態における第１のコネクタ部品を取付ける前の筒状部を示す要部拡大斜視図である。
【図５】本発明の第１の実施の形態における位置決め部材を取付ける前の状態を示す要部拡大斜視図である。
【図６】本発明の第１の実施の形態における電子接続箱ユニット及び第２のコネクタ部品の嵌合前の状態を示す斜視図である。
【図７】本発明の第１の実施の形態における第１のコネクタ部品を筐体に取付ける工程を示す第１の図である。
【図８】本発明の第１の実施の形態における第１のコネクタ部品を筐体に取付ける工程を示す第２の図である。
【図９】図９は本発明の第１の実施の形態における第１のコネクタ部品を筐体に取付ける工程を示す第３の図である。
【図１０】図１０は本発明の第１の実施の形態における第１のコネクタ部品を筐体に取付ける工程を示す第４の図である。
【図１１】図１１は本発明の第１の実施の形態における第１のコネクタ部品を筐体に取付ける工程を示す第５の図である。
【図１２】本発明の第２の実施の形態における電子接続箱ユニットの分解組立て図である。
【図１３】本発明の第２の実施の形態における第１のコネクタ部品を筐体に取付ける工程を示す図である。
【図１４】本発明の第３の実施の形態における電子接続箱ユニットの要部断面図である。
【図１５】従来の接続機器を筐体の側壁に取付ける構造を示す図である。
【符号の説明】
【００７０】
１０    電子接続箱
１１    基板
１２    本体
１３    底板
１４、３１０    側壁
１４ａ    厚肉部
１５    筒状部
１５ａ    内面リブ
１６    係合突起
１７    導出孔
２１    突状部
２２    突状部側溝部
２７    位置決め部材
２７ａ    嵌合部
２７ｂ    横桟部
２７ｃ    庇部
２９    蓋体
４０    第１のコネクタ部品
４１    第１のコネクタ端子
４２    端子支持部材
４２ａ    整列板支持部
４２ｂ    第１挿入部
４２ｃ    第１溝部
４３    整列板
４５    フランジ
４５ａ    膨出部
４５ｂ    第２のフランジ
４５ｃ    フランジ側溝部
５０    第２のコネクタ部品
５１、３０３    ハウジング
５２    第２挿入部
５２ａ    第２溝部
５３    挿入口
５４    係合レバー
５４ａ    係合孔
５６    導電ケーブル
５７    シール部材
３０１    筐体
３０２    コネクタ
３０４    端子
３０５    キー部
３１１    開口部
３１２    第１リブ
３１３    第２リブ
３１５    キー溝
【図１】
2007280795.tif 000003
【図２】
2007280795.tif 000004
【図３】
2007280795.tif 000005
【図４】
2007280795.tif 000006
【図５】
2007280795.tif 000007
【図６】
2007280795.tif 000008
【図７】
2007280795.tif 000009
【図８】
2007280795.tif 000010
【図９】
2007280795.tif 000011
【図１０】
2007280795.tif 000012
【図１１】
2007280795.tif 000013
【図１２】
2007280795.tif 000014
【図１３】
2007280795.tif 000015
【図１４】
2007280795.tif 000016
【図１５】
2007280795.tif 000017